(57)【要約】【課題】シャワーや入浴の後に、体全体を熱風または冷風で乾燥させることにより、乾燥のためのタオルと洗剤の量を減らし、フィトンチッドやアロマなどの芳香剤または保湿剤を身体に噴射させてアトピー、アレルギーなどの皮膚病を予防する効果のある身体乾燥機を提供する。【解決手段】本発明の身体乾燥機は、上部に足場が結合される上部本体、および下部本体からなるハウジングと、前記ハウジングの上部に結合されたカバー部と、前記ハウジングの内部に設置された高速回転送風ファンの駆動によって外部の空気が内部へ流入するようにする送風部と、前記送風部に流入した空気を圧縮して吐出口のノズルを介して空気を吐き出させる圧縮エアチャンバーとを含んでなる。【選択図】図７
2016529954.tif 000002
【特許請求の範囲】
【請求項１】
上部に足場が結合される上部本体、および下部本体からなるハウジングと、
前記ハウジングの上部に結合されたカバー部と、
前記ハウジングの内部に設置された高速回転送風ファンの駆動によって外部の空気が内部へ流入するようにする送風部と、
前記送風部に流入した空気を圧縮して吐出口のノズルを介して空気を吐き出させる圧縮エアチャンバーとを含んでなり、
前記圧縮エアチャンバーは、
底面より高く形成された漏水防止突部が一側に設けられ、前記漏水防止突部から離隔して底面に漏水感知センサーが備えられることを特徴とする、身体乾燥機。
【請求項２】
ハウジングの上端に設けられた液体投入口に液体容器が挿入され、液体容器に内蔵された液体が前記圧縮エアチャンバーへ移動すると、前記液体を外部へ噴射させる液体噴射部をさらに含むことを特徴とする、請求項１に記載の身体乾燥機。
【請求項３】
前記高速回転送風ファンは、
送風部の内部に設置されたモーターによって駆動され、回転数が分当たり５，０００以上の高速回転を行い、上部と下部に振動吸収部材がそれぞれ結合されたままで上部圧縮エアチャンバーと下部圧縮エアチャンバーにそれぞれ嵌合されることを特徴とする、請求項１に記載の身体乾燥機。
【請求項４】
前記圧縮エアチャンバーは、
高速回転送風ファンによって流入した空気が昇圧されながら吐き出されるようにするために、吐出口側に行くほど断面積が狭くなる形状の流入口を有することを特徴とする、請求項１に記載の身体乾燥機。
【請求項５】
前記吐出口のノズルは前記足場に設けられたノズルと結合され、
前記吐出口のノズルと前記足場のノズルとの高さの和は５ｍｍ以上であることを特徴とする、請求項１に記載の身体乾燥機。
【請求項６】
前記吐出口は、複数からなり、それぞれ異なる断面積または傾きを有することを特徴とする、請求項１に記載の身体乾燥機。
【請求項７】
前記液体投入口は、内部に一定量の液体が投入されるようにする液体貯留ポートを有し、
前記液体はフィトンチッドまたはアロマを含むことを特徴とする、請求項２に記載の身体乾燥機。
【請求項８】
前記圧縮エアチャンバーは、
上部に荷重が加えられる場合、荷重を分散させるように内部に荷重分散柱が１つ以上設置されることを特徴とする、請求項１に記載の身体乾燥機。
【請求項９】
前記圧縮エアチャンバーは、
内部にイオン発生器が内蔵されることを特徴とする、請求項１に記載の身体乾燥機。
【請求項１０】
前記圧縮エアチャンバーは、
前記高速回転送風ファンによって流入した空気を加熱させるヒーターを備えたことを特徴とする、請求項１に記載の身体乾燥機。
【請求項１１】
前記カバー部は、
前記高速回転送風ファンの上部に位置し、高速回転送風ファンの回転による騒音が直ちに外部へ出ずに内部の形状に沿って移動しながら前記ハウジングの下端の空気吸入口から出るようにすることを特徴とする、請求項１に記載の身体乾燥機。
【請求項１２】
前記圧縮空気チャンバーは、
漏れた水が外部へ排出されるように一つ以上の水排出孔を有することを特徴とする、請求項１に記載の身体乾燥機。
【請求項１３】
前記圧縮エアチャンバーは、
底面には身体の重さを測定するためのロードセルセンサーを備えることを特徴とする、請求項１に記載の身体乾燥機。
【請求項１４】
前記ハウジングは、一側に感知センサーが設けられ、
前記感知センサーは、重さを感知する重量感知センサーまたは赤外線感知センサーを含むことを特徴とする、請求項１に記載の身体乾燥機。
【請求項１５】
前記ハウジングは、円形、楕円形、菱形、リング状または一字状の形状を有することを特徴とする、請求項１に記載の身体乾燥機。
【請求項１６】
前記ハウジングの一側には、風の方向を身体の上部側へ誘導する誘導ガイド板が設けられることを特徴とする、請求項１に記載の身体乾燥機。
【請求項１７】
前記ハウジングの上部にハンドレールが設置されることを特徴とする、請求項１に記載の身体乾燥機。
【発明の詳細な説明】
【技術分野】
【０００１】
本発明は、身体乾燥機に係り、より詳しくは、シャワーや入浴の後、体全体を熱風または冷風で乾燥させ、フィトンチッドやアロマなどの芳香剤または保湿剤を身体に噴射させる身体乾燥機に関する。
【背景技術】
【０００２】
本発明は、身体乾燥機に関するものである。
【０００３】
一般に、入浴やシャワーをしてタオルで体を拭くときに高齢者のように柔軟性が落ちて手が届かない場合、タオルで体全体を拭いて乾かさずに服を着ることが多い。
【０００４】
また、銭湯、スポーツセンター、サウナなどの公衆利用施設で入浴やシャワーの後に生殖器および肛門などをタオルで拭くことは不衛生であり、体を拭くために複数枚のタオルを使うこともある。これは、タオルの洗浄によるエネルギー浪費および洗剤の使用による河川環境汚染の原因となっている。
【０００５】
また、現代人は、インスタント食生活のためアトピーやアレルギーなどの皮膚疾患を多く持っており、先天的に体から悪臭がする人々がいる。このような人々が入浴やシャワーの後に容易に体全体に対してフィトンチッドやアロマなどの芳香剤または保湿剤を噴射するための装備は未だない。
【０００６】
本発明の背景となる技術としては、特許文献１に開示されているように、銭湯やサウナで、駆動モーターに送風ファンを連結させて熱風または冷風を吐き出させることにより、人々の足についた水気を強制的に乾燥させるための足乾燥機がある。
【０００７】
ところが、このような乾燥方式は、前述したように、ほとんどが足の乾燥のみに限定されており、体についた水気は乾燥させることができないうえ、フィトンチッドやアロマなどの芳香剤または保湿剤を噴射させる機能を追加することもできないという問題点がある。
【先行技術文献】
【特許文献】
【０００８】
【特許文献１】韓国公開特許第１０−２０１２−００６０３８７号公報
【発明の概要】
【発明が解決しようとする課題】
【０００９】
本発明は、上述した問題点を解決するために案出されたもので、その目的はシャワーや入浴の後に体全体が熱風または冷風によって乾燥するようにし、フィトンチッドやアロマなどの芳香剤または保湿剤が身体に分散するようにする身体乾燥機を提供することにある。
【００１０】
また、本発明の他の目的は、コアンダ効果を利用して風の進行方向を体側へ自然に誘導し、或いは高圧ノズルからの風を用いて周辺の空気を体側へ誘導することにより、乾燥時間が短縮される身体乾燥機を提供することにある。
【００１１】
また、本発明の別の目的は、高圧ノズルの一部を生殖器および肛門の方向に向かせて、乾燥し難い生殖器および肛門などを乾燥させる身体乾燥機を提供することにある。
【００１２】
また、本発明の別の目的は、体の乾燥後にフィトンチッドやアロマなどの芳香剤または保湿剤を噴射させる身体乾燥機を提供することにある。
【００１３】
また、本発明の別の目的は、イオン発生器を用いて、皮膚にある細菌を殺菌する身体乾燥機を提供することである。
【００１４】
また、本発明の別の目的は、ロードセルを用いて身体の体重を測定することが可能な身体乾燥機を提供することである。
【課題を解決するための手段】
【００１５】
上記目的を達成するための本発明の特徴によれば、上部に足場が結合される上部本体、および下部本体からなるハウジングと、前記ハウジングの上部に結合されたカバー部と、前記ハウジングの内部に設置された高速回転送風ファンの駆動によって外部の空気が内部へ流入するようにする送風部と、前記送風部に流入した空気を圧縮して吐出口のノズルを介して空気を吐き出させる圧縮エアチャンバーとを含んでなり、前記圧縮エアチャンバーは、底面より高く形成された漏水防止突部が一側に設けられ、前記漏水防止突部から離隔して底面に漏水感知センサーが備えられることを特徴とする身体乾燥機を提供する。
【００１６】
また、本発明は、ハウジングの上端に設けられた液体投入口に液体容器が挿入され、液体容器に内蔵された液体が前記圧縮エアチャンバーへ移動すると、前記液体を外部へ噴射させる液体噴射部をさらに含む。
【００１７】
また、高速回転送風ファンは、送風部の内部に設置された送風ファンによって駆動され、回転数が分当たり５，０００以上の高速回転を行い、上部と下部に振動吸収部材がそれぞれ結合されたままで上部圧縮エアチャンバーと下部圧縮エアチャンバーにそれぞれ嵌合されることを特徴とする。
【００１８】
また、圧縮エアチャンバーは、高速回転送風ファンによって流入した空気が昇圧されながら吐き出されるようにするために、吐出口側に行くほど断面積が狭くなる形状の流入口を有することを特徴とする。
【００１９】
また、吐出口のノズルは前記足場に設けられたノズルと結合され、前記吐出口のノズルと前記足場のノズルとの高さの和は５ｍｍ以上であることを特徴とする。
【００２０】
また、吐出口は、複数からなり、それぞれ異なる断面積または傾きを有することを特徴とする。
【００２１】
また、液体投入口は、内部に一定量の液体が投入されるようにする液体貯留ポートを有し、前記液体はフィトンチッドまたはアロマを含むことを特徴とする。
【００２２】
また、圧縮エアチャンバーは、上部に荷重が加えられる場合、荷重を分散させるように内部に荷重分散柱が１つ以上設置されることを特徴とする。
【００２３】
また、圧縮エアチャンバーは、内部にイオン発生器が内蔵されることを特徴とする。
【００２４】
また、圧縮エアチャンバーは、前記高速回転送風ファンによって流入した空気を加熱させるヒーターを備えたことを特徴とする。
【００２５】
また、カバー部は、前記高速回転送風ファンの上部に位置し、高速回転送風ファンの回転による騒音が直ちに外部へ出ずに内部の形状に沿って移動しながら前記ハウジングの下端の空気吸入口から出るようにすることを特徴とする。
【００２６】
また、圧縮空気チャンバーは、漏れた水が外部へ排出されるように一つ以上の排出孔を有することを特徴とする。
【００２７】
また、圧縮エアチャンバーは、底面には身体の重さを測定するためのロードセルセンサーを備えることを特徴とする。
【００２８】
また、ハウジングは一側に感知センサーが設けられ、前記感知センサーは、重さを感知する重量感知センサーまたは赤外線感知センサーを含むことを特徴とする。
【００２９】
また、ハウジングは、円形、楕円形、菱形、リング状または一字状の形状を有することを特徴とする。
【００３０】
また、本発明は、ハウジングの一側には風の方向を身体の上部側へ誘導する誘導ガイド板が設けられることを特徴とする。
【００３１】
また、本発明は、ハウジングの上部にハンドレールが設置されることを特徴とする。
【発明の効果】
【００３２】
上述したように、本発明によれば、本発明は、シャワーや入浴の後に体全体を熱風または冷風で乾燥させることにより、乾燥のためのタオルと洗剤の量を減らし、フィトンチッドやアロマなどの芳香剤または保湿剤を身体に噴射させてアトピーやアレルギーなどの皮膚病を予防する効果のある身体乾燥機を提供することができる。
【００３３】
また、本発明によれば、吐き出される空気の直進性によって身体の生殖器および肛門などを直接乾燥させることにより衛生性が向上する身体乾燥機を提供することができる。
【００３４】
また、本発明によれば、コアンダ効果（Ｃｏａｎｄａ  ｅｆｆｅｃｔ）を利用して風の進行方向を体側へ自然に誘導し、或いは高圧ノズルからの風を用いて周辺の空気を体側へ誘導することにより乾燥時間を短縮する身体乾燥機を提供することができる。
【００３５】
また、本発明によれば、イオン発生器を用いて体を殺菌することが可能な身体乾燥機を提供することができる。
【００３６】
また、本発明によれば、ロードセルを用いて身体の体重を測定することが可能な身体乾燥機を提供することができる。
【００３７】
また、本発明によれば、使用者の操作条件に応じて作動時間が調節できるようにして無駄な電力消費を防止し、風の温度が常に一定の温度に維持されるようにして使用者の安全性の極大化を図る身体乾燥機を提供することができる。
【図面の簡単な説明】
【００３８】
【図１】本発明の好適な実施形態による身体乾燥機を示す斜視図である。
【図２】本発明の好適な実施形態による身体乾燥機の分解斜視図である。
【図３】本発明の好適な実施形態による身体乾燥機の吐出口から空気が吐き出される状態を示す断面図である。
【図４】本発明の好適な実施形態による身体乾燥機の状態表示を示す平面図である。
【図５】本発明の好適な実施形態による身体乾燥機の液体投入口の断面図である。
【図６】本発明の好適な実施形態による身体乾燥機の送風ファンの上部と下部にある振動吸収部材を示す斜視図である。
【図７】本発明の好適な実施形態による身体乾燥機の送風ファンを圧着によって固定する状態を示す斜視図である。
【図８】本発明の好適な実施形態による身体乾燥機の送風ファンの騒音を減らすための遮音構造および流路に対する状態を示す断面図である。
【図９】本発明の好適な実施形態による身体乾燥機の内部構成を示す斜視図である。
【図１０】本発明の好適な実施形態による身体乾燥機の吐出口から空気が吐き出される状態を示す図である。
【図１１】本発明の好適な実施形態による身体乾燥機のハウジングの他の形態を示す正面図である。
【図１２】本発明の好適な実施形態による身体乾燥機のハウジングの別の形態を示す正面図である。
【発明を実施するための形態】
【００３９】
本発明の利点、特徴およびそれらの達成方法は、添付図面と共に詳細に後述されている実施形態からさらに明白になるであろう。
【００４０】
ところが、本発明は、以下に開示される実施形態に限定されるものではなく、互いに異なる様々な形態で実現できる。但し、本実施形態は、本発明の開示を完全たるものとし、本発明の属する技術分野における通常の知識を有する者に発明の範疇を完全に知らせるために提供されるものであり、本発明は請求項の範疇のみによって定義される。明細書全体にわたり、同一の参照符号は同一の構成要素を指し示す。
【００４１】
以下、本発明を説明するための図面を参照して本発明について説明する。
【００４２】
本発明は、身体乾燥機に関するものである。
【００４３】
本発明の好適な実施形態による身体乾燥機は、上部に足場が結合される上部本体、および下部本体からなるハウジング１１０と、ハウジング１１０の上部に結合されたカバー部４０と、前記ハウジング１１０の内部に設置された高速回転送風ファン１２１の駆動によって外部の空気が内部に流入する送風部１２０と、前記送風部１２０に流入した空気を圧縮してノズルを介して吐出口１３１から空気を吐き出させる圧縮エアチャンバー１３０とを含んでなる。
【００４４】
すなわち、本発明の実施形態に係る身体乾燥機は、ハウジング１１０、カバー部４０、送風部１２０および圧縮エアチャンバー１３０を含む。
【００４５】
図１は本発明の好適な実施形態による身体乾燥機を示す斜視図、図２は本発明の好適な実施形態による身体乾燥機の分解斜視図である。
【００４６】
図１および図２を参照すると、ハウジング１１０は、下部本体１０、上部本体２０および足場３０を含んでなり、ハウジング１１０の上部にはカバー部４０が結合される。
【００４７】
下部本体１０には上部エアチャンバー１３０ａおよび下部エアチャンバー１３０ｂが結合され、上部圧縮エアチャンバー１３０ａと下部圧縮エアチャンバー１３０ｂとの間には送風ファンが内蔵される。
【００４８】
上部本体２０は、上部に足場３０が取り付けられ、上部圧縮エアチャンバー１３０ａと結合される。このとき、足場３０には空気が抜け出るように複数の孔が設けられる。足場は上部本体２０から分離が可能であって洗浄が可能である。
【００４９】
カバー部４０は、上部本体２０の上側に結合され、内部に備えられた送風部１２０を包む役割をし、高速送風ファンからの騒音を遮音するために空気吸入口１３８を下部に位置させて、送風ファンからの騒音が外部へ出ることを防止する役割をする。このとき、カバー部４０の一側にフィルターが備えられることにより、流入した外部の空気中の埃などは濾過されるようにする。
【００５０】
送風部１２０は、前記ハウジング１１０の内部に設置された高速回転送風ファン１２１の駆動によって外部の空気が内部へ流入するようにする。このとき、高速回転送風ファン１２１は、送風部１２０の内部に設置されたモーターによって駆動され、回転数が分当たり５，０００以上の高速回転をする。
【００５１】
送風部１２０には、内部に設置された送風ファンによって外部の空気が流入する。外部の空気は、送風部１２０の内部空間を介して圧縮エアチャンバー１３０側へ強制送風する。
【００５２】
高速回転送風ファン１２１は、上部圧縮エアチャンバー１３０ａと下部圧縮エアチャンバー１３０ｂとの間に位置し、上部は上部圧縮エアチャンバー１３０ａに嵌合され、下部は下部圧縮エアチャンバー１３０ｂに嵌合される。
【００５３】
また、高速回転送風ファン１２１の一側に、送風部１２０に流入した空気を一定の温度で加熱するヒーター１８０が設置されることにより、加熱された空気が吐き出されるようにする。
【００５４】
このとき、ヒーター１８０は、所定の温度範囲内で加熱されるようにする。内部に取り付けられた温度センサー（図示せず）で、加熱された温度が所定の温度以上であることが感知された場合、制御部は、ヒーター１８０の動作が停止するようにし、所定の温度以下に落ちると、ヒーター１８０を再稼動させて空気の温度を常に一定に維持する。
【００５５】
モーターは高速回転送風ファン１２１を駆動させ、送風ファンの上部および下部には振動吸収部材がそれぞれしっかりと固定されるように嵌合される。これは、高速回転送風ファン１２１の回転の際に発生する振動および騒音を減らすためである。
【００５６】
圧縮エアチャンバー１３０は、送風部１２０に流入した空気を圧縮してノズルを介して吐出口１３１から空気を吐き出させる。このとき、吐出口１３１は、複数からなり、それぞれ異なる断面積または傾きを有する。たとえば、吐出口１３１のうち、断面積の異なる吐出口１３１より大きい一つ以上の吐出口１３１は、肛門および生殖器の方向に傾いて空気が肛門および生殖器へ吐き出されるようにすることにより、衛生的に肛門および生殖器を乾燥させる。
【００５７】
液体噴射部１４０は、圧縮エアチャンバー１３０に連結され、ハウジング１１０の上端に設けられた液体投入口に挿入された液体容器１４１に内蔵された液体が圧縮エアチャンバー１３０へ移動すると前記液体を外部へ噴射させる。
【００５８】
感知センサーは、前記カバー部４０の一側に設けられ、使用者が感知された場合にのみ動作するようにすることにより、無駄な電力消費を減らすことができる。
【００５９】
このとき、感知センサーは、身体の重さによる重量感知センサー１５１または赤外線感知センサー（図示せず）を含む。
【００６０】
制御部（図示せず）は、感知センサーの信号を受信し、圧縮エアチャンバー１３０を駆動または停止させる機能を行う。
【００６１】
また、イオン発生器は、ハウジング１１０の内部に設置され、圧縮エアチャンバー１３０へイオンを流入させる。これは、身体を乾燥させると同時に殺菌させるためである。
【００６２】
また、ロードセルセンサーは圧縮エアチャンバー１３０の底面に設置される。これは、使用者が身体を乾燥させると同時に重量を測定するためである。
【００６３】
また、ハンドレールはハウジング１１０の上部に別途設置され、水気のある足による滑りまたは高齢者の安全に役立つようにハンドルの役割をする。
【００６４】
また、誘導ガイド板（図示せず）はハウジング１１０の両側に設置される。これは、吐出される空気の方向を身体の上部側へ誘導して速やかに乾燥させるためである。
【００６５】
本発明は、使用者が足場３０に上がると、センサーがこれを感知して送風部１２０が動作し、送風部１２０を介して流入した外部の空気は内部に設置されたヒーター１８０によって加熱されて圧縮エアチャンバー１３０に流入すると同時に吐出口１３１から噴射されるようにすることにより、使用者の身体を乾燥させる。その後、使用者の身体がすべて乾燥して使用者が足場３０から降りてくると、感知センサーはこれを感知して制御部に信号を送ることにより、もう作動しないようにする。
【００６６】
図３は本発明の好適な実施形態による身体乾燥機の吐出口１３１から空気が吐き出される状態を示す断面図である。
【００６７】
図３を参照すると、圧縮エアチャンバー１３０は、高速回転送風ファン１２１によって流入した空気の圧力が上昇して吐き出されるようにするために、吐出口１３１側に行くほど断面積が狭くなる形状（テーパーされた）の流入口１３２を有する。これは、圧縮エアチャンバー１３０に流入した空気が、流入口１３２を通過して、断面積の狭くなる吐出口１３１側へ移動しながら空気流れが速くなった状態で吐出口１３１を通過して上部にさらに高く吐き出されるようにするためである。
【００６８】
すなわち、空気がディフューザのネック部よりも面積の少ないスロットを介して吐き出されるため、空気の速度圧は増加することになる。このような速度圧の増加は、吐出側の静圧の減少を誘発し、吐き出される空気に周辺の空気が誘引されて混合されるようにする。このような現象は、吐出風量が減少しても持続的に起こることになり、気流特性を向上させて吐出空気がより高い位置まで到達することができるようにするコアンダ効果（Ｃｏａｎｄａ  ｅｆｆｅｃｔ）を利用したものである。
【００６９】
図４は本発明の好適な実施形態による身体乾燥機の状態表示を示す平面図である。
【００７０】
図４を参照すると、ハウジング１１０の上端面には液体投入口１４５が設けられ、液体が投入または遮断されるように選択することが可能な液体投入スイッチ２１０が設けられる。
【００７１】
使用者は、身体を乾燥させながら、香りがよくて体に良いアロマやフィトンチッドが一緒に噴射されることを希望する場合には、ハウジング１１０の外部に設けられた液体投入スイッチ２１０を押して液体が液体噴射部のノズル１４０ａを介して噴射されるようにし、希望しない場合には、液体投入スイッチ２１０をもう一度押して液体噴射部のノズル１４０ａから吐き出されないように遮断させることにより、選択的に使用することができる。このとき、液体容器に保湿剤を入れ、保湿剤が液体噴射部から吐き出されるようにすることもできる。
【００７２】
すなわち、液体容器に内蔵された液体が液体投入口を介して圧縮エアチャンバー１３０に流入し、流入した液体は液体噴射部のノズル１４０ａを介して外部へ噴射されることにより、使用者は、液体の種類に応じて選択的に様々な効果を享受することができる。
【００７３】
また、カバー部４０には状態表示部２００が形成されており、使用者が使用する場合とそうでない場合が区分されるようにする。たとえば、使用者が使用する場合には緑色ライトが点灯し、使用者が使用しない場合には赤色ライトが点灯するなどの方式である。
【００７４】
図５は本発明の好適な実施形態による身体乾燥機の液体投入口の断面図である。
【００７５】
図５を参照すると、上部本体２０には液体投入口が設けられ、前記液体投入口は液体容器から液体が圧縮エアチャンバー１３０へ流れるようにする。このとき、圧縮エアチャンバー１３０と液体投入口との間にはソレノイドバルブ１６０が連結される。
【００７６】
ここで、ソレノイドバルブ１６０は、使用者が使用しようとする場合にのみ作動するようにする構成である。使用者が使用するために、ソレノイドバルブ１６０を制御する液体投入スイッチ２１０を押すと、ソレノイドバルブ１６０が開きながら、液体が噴射部のノズルから高圧の空気と一緒に吐き出される。
【００７７】
すなわち、ソレノイドバルブ１６０は、液体容器から吐き出された液体が圧縮エアチャンバー１３０に対して流入または遮断されるようにする。
【００７８】
液体投入口は、内部に液体貯留ポート（図示せず）が設けられ、一定量の液体が投入されるように調節できる。
【００７９】
前記液体容器に内蔵された液体は、アロマ、フィトンチッド、保湿剤などが好ましい。
【００８０】
図６は本発明の好適な実施形態による身体乾燥機の送風ファンの上部と下部にある振動吸収部材を示す斜視図、図７は本発明の好適な実施形態による身体乾燥機の高速回転送風ファン１２１を圧着によって固定する状態を示す斜視図である。
【００８１】
図６を参照すると、モーターは高速回転送風ファン１２１を駆動させ、送風ファンの上部と下部にはゴム等の振動吸収部材をそれぞれ装着することにより、高速回転送風ファン１２１の高速回転による振動および騒音を減らすことができる。このとき、下部の振動吸収部材を送風ファンの底部にある固定溝１２５に嵌め込むことが可能な振動吸収部材を挿入することにより、送風ファンの空転現象を防止することが好ましい。
【００８２】
図７を参照すると、高速回転送風ファン１２１は、上部圧縮エアチャンバー１３０ａと下部圧縮エアチャンバー１３０ｂとの間に位置し、その上部と下部にはゴム等の振動吸収部材が装着されている。高速回転送風ファン１２１の上部と下部は、上部圧縮エアチャンバー１３０ａと下部圧縮エアチャンバーにそれぞれ設けられたホールによって圧縮嵌合されることが好ましい。
【００８３】
図８は本発明の好適な実施形態による身体乾燥機の送風ファンの騒音を低減するための遮音構造および流路に対する状態を示す断面図である。
【００８４】
図８を参照すると、カバー部４０は、高速回転送風ファン１２１の上部に結合され、内部にある送風部１２０を包んでおり、高速回転送風ファン１２１からの騒音が外部へ出ないようにするために吸入材が付いているカバー部４０を高速回転送風ファン１２１の吸入口の上部に配置し、吸入する空気の流路を２７０度折り曲げてカバー部４０の下端の空気吸入口１３８を介して送風ファンからの騒音が出ないように防止することが好ましい。
【００８５】
すなわち、カバー部４０は、前記高速回転送風ファン１２１の上部に位置し、高速回転送風ファン１２１の回転による騒音が、直ちに外部へ出ず、内部の形状に沿って移動しながら前記ハウジング１１０の下端の空気吸入口１３８を介して出るようになるのである。
【００８６】
このとき、カバー部４０の一側にはフィルターが備えられ、流入した外部の空気中の埃などは濾過されるようにする。
【００８７】
図９は本発明の好適な実施形態による身体乾燥機の内部構成を示す斜視図である。
【００８８】
図９を参照すると、圧縮エアチャンバー１３０の内部にはヒーター１８０が内蔵されており、寒い天気には熱風で体を乾燥させることができる。このとき、ヒーター１８０はＰＴＣヒーターを使用することが好ましい。
【００８９】
また、圧縮エアチャンバー１３０の内部にはイオン発生器を内蔵することにより、水虫菌や皮膚病原菌などを殺菌することが好ましい。
【００９０】
また、圧縮エアチャンバー１３０の内部には、身体の重さを分散させることが可能な荷重分散柱が１つ以上設置されることが好ましい。
【００９１】
また、圧縮エアチャンバー１３０の内部には、使用中に水が内部に入り込んで電気的な感電事故などが発生することを防止するために、圧縮エアチャンバー１３０の底に底面より高い漏水防止突部１３５を設けることにより、漏水による電気的な事故を防止することが好ましい。このとき、漏水防止突部１３５の前面には漏水感知センサー１３６を設置することにより、水が内部に入り込んだ場合、表示部に水の浸入を知らせることが好ましい。
【００９２】
また、圧縮エアチャンバー１３０の底には、内部に入り込んだ水が自然排水または空気圧によって外部へ排出することが可能な孔が一つ以上設けられたことが好ましい。
【００９３】
図１０は本発明の好適な実施形態による身体乾燥機の吐出口から空気が吐き出される状態を示す図である。
【００９４】
図１０を参照すると、吐出口のノズルは、上部の足場３０にあるノズルと結合され、上部本体２０側へ風を吐き出す。このとき、吐出口のノズルと足場３０のノズルとの高さの和を５ｍｍ以上にして空気の直進性を拡大させることにより、使用者の身体側へ空気が高く吐き出されるようにすることが好ましい。
【００９５】
また、吐出口１３１は、流入した空気が身体方向へ吐き出されるように一定の方向に傾いて設けられ、複数の吐出口１３１の一部は傾いた方向が異なるように設けられることにより、使用者の身体に空気が均等に届くようにする。
【００９６】
すなわち、吐出口のノズル１３１ａの高さが長く形成されることにより空気の直進性が向上し、使用者の足および脚を経て脚同士の間の生殖器および肛門などにも強い空気が直接到達することにして乾燥効率を増大させ、生殖器や肛門など、空気が届き難い部分までも乾燥が可能であって、発生しうる細菌性疾患を防止することができる。
【００９７】
また、ノズルの位置は、足場３０の凹凸部の上部に結合され、ノズルへの水の浸透を減らすことができることが好ましい。
【００９８】
図１１は本発明の好適な実施形態による身体乾燥機のハウジングの他の形態を示す正面図、図１２は本発明の好適な実施形態による身体乾燥機のハウジングの別の形態を示す正面図である。
【００９９】
ハウジング１１０の形態は円形、楕円形、菱形、リング状または一字状の形状を含む。
【０１００】
図１１および図１２を参照すると、ハウジング１１０の形態が円形または菱形であることを示す。このようなハウジング１１０の外形は様々な形態への設計変更が可能である。
【０１０１】
本発明の属する技術分野における通常の知識を有する者は、本発明がその技術思想や必須の特徴を変更することなく他の具体的な形態で実施できることを理解することができるだろう。したがって、上述した実施形態は、あらゆる面で例示的なものに過ぎず、限定的ではないと理解しなければならない。本発明の範囲は前記詳細な説明よりは後述の特許請求の範囲によって示され、特許請求の範囲の意味および範囲、そしてその均等概念から導き出されるすべての変更または変形形態も本発明の範囲に含まれるものと解釈されるべきである。
【符号の説明】
【０１０２】
１００    身体乾燥機
１１０    ハウジング
１２０    送風部
１２１    高速回転送風ファン
１２２    モーター
１２３    振動吸収部材
１２３ａ    上部振動吸収部材
１２３ｂ    下部振動吸収部材
１２５    固定溝
１３０    圧縮エアチャンバー
１３０ａ    上部圧縮エアチャンバー
１３０ｂ    下部圧縮エアチャンバー
１３１    吐出口
１３１ａ    吐出口ノズル
１３２    流入口
１３５    漏水防止突部
１３６    漏水感知センサー
１３７    荷重分散柱
１３８    空気吸入口
１３９    水排出孔
１４０    液体噴射部
１４０ａ    液体噴射部ノズル
１４１    液体容器
１４５    液体投入口
１５１    重量感知センサー
１６０    ソレノイドバルブ
１７０    陰イオン発生器
１８０    ヒーター
２００    状態表示部
２１０    液体投入スイッチ
２４０    エアビデ
２４０ａ    エアビデノズル
１０    下部本体
２０    上部本体
３０    足場
４０    カバー部
【図１】
2016529954.tif 000003
【図２】
2016529954.tif 000004
【図３】
2016529954.tif 000005
【図４】
2016529954.tif 000006
【図５】
2016529954.tif 000007
【図６】
2016529954.tif 000008
【図７】
2016529954.tif 000009
【図８】
2016529954.tif 000010
【図９】
2016529954.tif 000011
【図１０】
2016529954.tif 000012
【図１１】
2016529954.tif 000013
【図１２】
2016529954.tif 000014
【国際調査報告】
2016529954.tif 000015
2016529954.tif 000016
2016529954.tif 000017
2016529954.tif 000018